(57)【要約】【課題】ロックアームの衝撃力を緩和するロック機構付きコネクタを提供する。【解決手段】プラグコネクタ１０は、ハウジング１、複数のコンタクト３、及び、ロックアーム５を備える。ハウジング１は、コンタクト３を内部に配置している。ロックアーム５は、ハウジング１の外壁面から突出した支持部１１に中間部が支持されている。ロックアーム５は、フック部５ｈを一端部に形成し、半円状の指押さえ部５ｆを他端部に有する。指押さえ部５ｆは、凹部５２ｃと傾斜面５２ｓを有する。凹部５２ｃは、指押さえ部５ｆの背面から穿設している。傾斜面５２ｓは、ロックアーム５の他端面の底部から指押さえ部５ｆの頂き部５２ｔに向かって上り傾斜している。傾斜面５２ｓは、ロックアーム５の他端面からプラグコネクタ１０の挿入方向に向かう力を分力できる。【選択図】図１２
2018185886.tif 000002
【特許請求の範囲】
【請求項１】
相手側コネクタと係合した後に、相手側コネクタを一体に保持するロック機構を備えたロック機構付き電気コネクタであって、
一つ以上のコンタクトを内部に配置した直方体状のハウジングと、
前記ハウジングの外壁面の中央部から突出した支持部に中間部が支持され、前記ハウジングの外壁面と略平行に配置した板状の揺動自在なロックアームと、を備え、
前記ロックアームは、
一端部に形成し、相手側コネクタと係止自在な鉤状のフック部と、
当該ロックアームの他端面の底部から他端部の上面に向かって上り傾斜し、当該ロックアームの他端面から当該電気コネクタの挿入方向に向かう力を分力できる傾斜面と、を有している、ロック機構付き電気コネクタ。
【請求項２】
前記ロックアームの他端面は、前記ハウジングの他端面より後退した位置に配置されている、請求項１記載のロック機構付き電気コネクタ。
【請求項３】
前記傾斜面は、略２０度から略２５度の傾斜角度の範囲で上り傾斜している、請求項１又は２記載のロック機構付き電気コネクタ。
【請求項４】
前記支持部は、所定の間隔を設けて、一対に対向配置している、請求項１から３のいずれかに記載のロック機構付き電気コネクタ。
【請求項５】
前記ロックアームは、他端部の上面から半円状に隆起した指押え部を更に有している、請求項１から４のいずれかに記載のロック機構付き電気コネクタ。
【請求項６】
前記指押え部は、前記ロックアームの他端面から一端部側に向かって穿設し、当該指押え部の頂き部が撓むための凹部を含んでいる、請求項５記載のロック機構付き電気コネクタ。
【発明の詳細な説明】
【技術分野】
【０００１】
本発明は、ロック機構付き電気コネクタに関する。特に、相手側コネクタと係合した後に、相手側コネクタを一体に保持するロック機構を備えた電気コネクタの構造に関する。
【背景技術】
【０００２】
例えば、ケーブルの端末に取り付けたプラグコネクタとプリント基板に実装したベースコネクタを接続することで、ケーブルとプリント基板を電気的に接続できる。このような、いわゆる、電線対基板コネクタでは、手動操作式のロック機構をハウジング相互間に設けて、プラグコネクタをベースコネクタに一体に保持している。
【０００３】
このようなロック機構として、一端部に鉤状のフック部を有し他端部に指押さえ部を有するロックアームの中間部をプラグハウジングの外壁面に突出した支持部に支持し、支持部を支点にロックアームをシーソー状に揺動変位させることで、フック部をベースハウジングの外壁面から突出したラッチ部に係合させたり、係合を解除させたりするレバー式のロック機構が知られている。
【０００４】
しかし、これらのハウジングをロックした状態で、電気コネクタの挿脱方向の遊びが大きいと、一方の電気コネクタに偏った引き抜き力が作用したときに、これらのコンタクト間に接触不良が発生する心配があることから、プラグハウジング１５が偏った引き抜き力を受けても、コンタクト間の接触不良を困難とするロック機構付き電気コネクタが開示されている（例えば、特許文献１参照）。
【先行技術文献】
【特許文献】
【０００５】
【特許文献１】特開２０００−１２３９１２号公報
【発明の概要】
【発明が解決しようとする課題】
【０００６】
図１５は、従来技術によるロック機構付き電気コネクタの構成を示す斜視図であり、相手側コネクタを対向配置した状態図である。図１６は、従来技術によるロック機構付き電気コネクタの構成を示す縦断面図である。
【０００７】
図１７は、従来技術によるロック機構付き電気コネクタの構成を示す縦断面図であり、相手側コネクタと係合した状態図である。
【０００８】
なお、本願の図１５と図１６は、特許文献１の図１と図３に相当している。又、本願の図１７は、特許文献１の図６に相当している。
【０００９】
図１５から図１７を参照すると、従来技術によるロック機構付き電気コネクタ（以下、プラグコネクタという）８は、複数のケーブルＣｂの端末に取り付けられている。一方、図１５を参照すると、相手側コネクタ（以下、ベースコネクタという）９は、プリント基板９ｐに実装されている。
【００１０】
図１５又は図１７を参照して、プラグコネクタ８をベースコネクタ９に接続することで、ケーブルＣｂとプリント基板９ｐを電気的に接続できる。
【００１１】
図１５又は図１７を参照すると、ベースコネクタ９は、絶縁性を有する直方体状のベースハウジング９１と複数のコンタクト９２を備えている。ベースハウジング９１は、一方の面に開口した凹部９１ｃを有している。凹部９１ｃには、後述するプラグハウジング８１の前部を導入できる。
【００１２】
図１５又は図１７を参照すると、複数のコンタクト９２は、凹部９１ｃの内部に横一列に配置されている。コンタクト９２は、リード端子９２ｒを基端部に有している。リード端子９２ｒは、凹部９１ｃの底部を貫通し、ベースハウジング９１の底面から突出している（図１７参照）。リード端子９２ｒをプリント基板９ｐに開口したスルーホールにハンダ接合することで、ベースコネクタ９をプリント基板９ｐに固定できる（図１５参照）。
【００１３】
図１５を参照すると、ベースハウジング９１は、一対の山脈状のラッチ部９１ｒ・９１ｒを一方の側面から突出している。これらのラッチ部９１ｒ・９１ｒは、後述するロックアーム８３の一端部側に形成したフック部８３ｈに係合できる（図１７参照）。
【００１４】
図１５から図１７を参照すると、プラグコネクタ８は、絶縁性を有するプラグハウジング８１、複数のコンタクト８２、及び、幅広の板状のロックアーム８３を備えている。コンタクト８２は、プラグハウジング８１の後面側に開口したコンタクトキャビティ８１ｃに収容されている（図１６又は図１７参照）。
【００１５】
図１６又は図１７を参照すると、コンタクト８２は、ワイヤーバレル８２ｃとインシュレーションバレル８２ｉを基端部側に有している。ワイヤーバレル８２ｃは、ケーブルＣｂの芯線を圧着している。インシュレーションバレル８２ｉは、ケーブルＣｂの被覆部を圧着している。ケーブルＣｂの端末にコンタクト８２を圧着した状態で、コンタクト８２をコンタクトキャビティ８１ｃに収容できる。
【００１６】
図１６又は図１７を参照すると、コンタクト８２は、先端面側を開口した箱状の接続端子８２ｔを先端部に有している。図１７を参照して、プラグハウジング８１の前部を凹部９１ｃに挿入した状態では、コンタクト９２をコンタクト８２の接続端子８２ｔに接続できる。
【００１７】
図１５から図１７を参照すると、プラグハウジング８１は、ロックアーム８３を外壁面８１ｗと略平行に配置している。ロックアーム８３は、鉤状のフック部８３ｈを一端部に有している。又、ロックアーム８３は、指押さえ部８３ｆを他端部に有している。更に、ロックアーム８３は、その中間部がプラグハウジング８１の外壁面８１ｗから突出した一対の支持部８１１・８１１によって、揺動自在に支持されている。
【００１８】
図１５を参照して、プラグコネクタ８をベースコネクタ９に向かって進出すると、プラグハウジング８１の前部をベースハウジング９１の凹部９１ｃに挿入できる。プラグコネクタ８をベースコネクタ９に向かって進出する過程では、フック部８３ｈの底面がラッチ部９１ｒの傾斜面にスライドすることで、フック部８３ｈを持ち上げることができる。
【００１９】
図１７を参照して、フック部８３ｈの先端縁８３２がラッチ部９１ｒの段差を乗り越えると、フック部８３ｈが弾性復帰して、フック部８３ｈをラッチ部９１ｒに係止できる。つまり、プラグコネクタ８は、ベースコネクタ９を一体に保持できる。
【００２０】
一方、図１７を参照して、プラグコネクタ８とベースコネクタ９が係合した状態から、指押さえ部８３ｆをプラグハウジング８１の外壁面８１ｗに向かって押すと、ロックアーム８３を傾動でき、フック部８３ｈを持ち上げることができ、つまり、ロックを解除することで、プラグコネクタ８をベースコネクタ９から引き抜くことができる。
【００２１】
従来技術によるプラグコネクタ８は、幅広のロックアーム８３が一対のラッチ部９１ｒ・９１ｒに係合しているので、プラグハウジング８１に偏った引き抜き力が作用することを困難にできる、としている。
【００２２】
又、従来技術によるプラグコネクタ８は、面取りからなる逃げ部８３ｅを係合部８３１の先端縁８３２に形成しているので、フック部８３ｈがラッチ部９１ｒを乗り越えるための遊び量を必要最小限にすることができる、としている。
【００２３】
図１５から図１７を参照して、プラグハウジング８１の材料として、多くは、エンジニアリングプラスチックであるＰＢＴ（Ｐｏｌｙ  Ｂｕｔｙｌｅｎｅ  Ｔｅｒｅｐｈｔｈａｌａｔｅ）を採用している。ＰＢＴは、寸法変化に与える影響が少ないといった吸水特性に優れ、コスト、又は、相手側コネクタとのロックフィーリングに優れているとされている。しかし、ＰＢＴは、ポリアミド合成樹脂、いわゆる、６６ナイロン（登録商標）、又は、ガラス繊維強化６６ナイロン（登録商標）と比べて、耐衝撃性では劣るという問題がある。
【００２４】
図１５を参照すると、ロックアーム８３は、プラグコネクタ８の幅方向に延び、かつ、プラグハウジング８１の外壁面８１ｗから突出している。このため、例えば、ケーブルＣｂ付きコンタクト８２をプラグハウジング８１に組み込む作業時に、いわゆる、ワイヤーハーネスの製造時に、不用意な衝撃力がロックアーム８３に作用すると、支持部８１１が折損する心配がある。
【００２５】
又、ケーブル付き電気コネクタを束ねて輸送している場合に、不用意な衝撃力がロックアーム８３に作用すると、ロックアームの支持部が折損する心配がある。特に、ロックアームの背後から電気コネクタの挿入方向に向けて、不用意な衝撃力が作用すると、ロックアームの支持部の折損が心配される。
【００２６】
不用意な衝撃力に起因するロックアームの支持部の折損を抑制するために、ケーブル付き電気コネクタのコネクタ部分を個別に緩衝材で梱包することが考えられる。しかし、この場合、緩衝材を必要とし、かつ、コネクタ部分を緩衝材で包む作業が必要とすることから、梱包費用が発生し、電線付きコネクタの製造原価を上げる要因になるという問題がある。
【００２７】
ロックアームの背後から電気コネクタの挿入方向に向けて作用する不用意な衝撃力を緩和することで、ロックアームの支持部の欠損を抑制できる、ロック機構付き電気コネクタが求められている。そして、以上のことが本発明の課題といってよい。
【００２８】
本発明は、このような課題に鑑みてなされたものであり、ロックアームの背後から少なくとも電気コネクタの挿入方向に向けて作用する不用意な衝撃力を緩和することで、ロックアームの欠損を抑制できる、ロック機構付きコネクタを提供することを目的とする。
【課題を解決するための手段】
【００２９】
本発明者らは、電気コネクタの挿入方向に向かう力を分力できる傾斜面をロックアームの他端部に形成することで、ロックアームの背後から電気コネクタの挿入方向に向けて、ロックアームに作用する不用意な衝撃力を緩和できると考え、これに基づいて、以下のような新たなロック機構付き電気コネクタを発明するに至った。
【００３０】
（１）本発明によるロック機構付き電気コネクタは、相手側コネクタと係合した後に、相手側コネクタを一体に保持するロック機構を備えたロック機構付き電気コネクタであって、一つ以上のコンタクトを内部に配置した直方体状のハウジングと、前記ハウジングの外壁面の中央部から突出した支持部に中間部が支持され、前記ハウジングの外壁面と略平行に配置した板状の揺動自在なロックアームと、を備え、前記ロックアームは、一端部に形成し、相手側コネクタと係止自在な鉤状のフック部と、当該ロックアームの他端面の底部から他端部の上面に向かって上り傾斜し、当該ロックアームの他端面から当該電気コネクタの挿入方向に向かう力を分力できる傾斜面と、を有している。
【００３１】
（２）前記ロックアームの他端面は、前記ハウジングの他端面より後退した位置に配置されていることが好ましい。
【００３２】
（３）前記傾斜面は、略２０度から略２５度の傾斜角度の範囲で上り傾斜していることが好ましい。
【００３３】
（４）前記支持部は、所定の間隔を設けて、一対に対向配置していてもよい。
【００３４】
（５）前記ロックアームは、他端部の上面から半円状に隆起した指押え部を更に有していることが好ましい。
【００３５】
（６）前記指押え部は、前記ロックアームの他端面から一端部側に向かって穿設し、当該指押え部の頂き部が撓むための凹部を含んでいることが好ましい。
【発明の効果】
【００３６】
本発明によるロック機構付き電気コネクタは、電気コネクタの挿入方向に向かう力を分力できる傾斜面をロックアームの他端部に形成することで、ロックアームの背後から少なくとも電気コネクタの挿入方向に向けて、ロックアームに作用する不用意な衝撃力を緩和できる。これより、ロックアームの支持部の欠損を抑制できる。
【図面の簡単な説明】
【００３７】
【図１】本発明の一実施形態によるロック機構付き電気コネクタの構成を示す斜視図であり、相手側コネクタを対向配置した状態図である。
【図２】前記実施形態によるロック機構付き電気コネクタの構成を示す斜視図であり、相手側コネクタと係合した状態図である。
【図３】前記実施形態によるロック機構付き電気コネクタの構成を示す縦断面図であり、相手側コネクタと係合した状態図である。
【図４】相手側コネクタの構成を示す斜視分解組立図である。
【図５】相手側コネクタの構成を示す斜視図であり、図５（Ａ）は、相手側コネクタを上面側及び背面側から観た状態図、図５（Ｂ）は、相手側コネクタを下面側及び背面側から観た状態図である。
【図６】相手側コネクタの構成を示す図であり、図６（Ａ）は、相手側コネクタの平面図、図６（Ｂ）は、相手側コネクタの下面図である。
【図７】前記実施形態によるロック機構付き電気コネクタの構成を示す斜視分解組立図である。
【図８】前記実施形態によるロック機構付き電気コネクタの構成を示す図であり、図８（Ａ）は、ロック機構付き電気コネクタの平面図、図８（Ｂ）は、ロック機構付き電気コネクタの正面図、図８（Ｃ）は、ロック機構付き電気コネクタの右側面図、図８（Ｄ）は、ロック機構付き電気コネクタの背面図、図８（Ｅ）は、ロック機構付き電気コネクタの下面図である。
【図９】前記実施形態によるロック機構付き電気コネクタの構成を示す縦断面図である。
【図１０】前記実施形態によるロック機構付き電気コネクタに備わるハウジングの構成を示す図であり、図１０（Ａ）は、ハウジングの平面図、図１０（Ｂ）は、ハウジングの正面図、図１０（Ｃ）は、ハウジングの右側面図、図１０（Ｄ）は、ハウジングの左側面図、図１０（Ｅ）は、ハウジングの背面図、図１０（Ｆ）は、ハウジングの下面図である。
【図１１】前記実施形態によるロック機構付き電気コネクタに備わるハウジングの構成を示す斜視図であり、ハウジングを背面側及び右側面側から観た状態図である。
【図１２】前記実施形態によるロック機構付き電気コネクタに備わるハウジングの構成を示す縦断面図であり、図１０（Ａ）のＡ−Ａ矢視を拡大した図である。
【図１３】前記実施形態によるロック機構付き電気コネクタに備わるコンタクトの構成を示す斜視図である。
【図１４】前記実施形態によるロック機構付き電気コネクタに備わるコンタクトの構成を示す図であり、図１４（Ａ）は、コンタクトの平面図、図１４（Ｂ）は、コンタクトの正面図、図１４（Ｃ）は、コンタクトの右側面図、図１０（Ｄ）は、コンタクトの背面図、図１０（Ｅ）は、コンタクトの下面図である。
【図１５】従来技術によるロック機構付き電気コネクタの構成を示す斜視図であり、相手側コネクタを対向配置した状態図である。
【図１６】従来技術によるロック機構付き電気コネクタの構成を示す縦断面図である。
【図１７】従来技術によるロック機構付き電気コネクタの構成を示す縦断面図であり、相手側コネクタと係合した状態図である。
【発明を実施するための形態】
【００３８】
以下、図面を参照して本発明を実施するための形態を説明する。
［ロック機構付き電気コネクタの構成］
最初に、本発明の一実施形態によるロック機構付き電気コネクタの構成を説明する。
【００３９】
図１は、本発明の一実施形態によるロック機構付き電気コネクタの構成を示す斜視図であり、相手側コネクタを対向配置した状態図である。
【００４０】
図２は、前記実施形態によるロック機構付き電気コネクタの構成を示す斜視図であり、相手側コネクタと係合した状態図である。図３は、前記実施形態によるロック機構付き電気コネクタの構成を示す縦断面図であり、相手側コネクタと係合した状態図である。
【００４１】
図４は、相手側コネクタの構成を示す斜視分解組立図である。図５は、相手側コネクタの構成を示す斜視図であり、図５（Ａ）は、相手側コネクタを上面側及び背面側から観た状態図、図５（Ｂ）は、相手側コネクタを下面側及び背面側から観た状態図である。
【００４２】
図６は、相手側コネクタの構成を示す図であり、図６（Ａ）は、相手側コネクタの平面図、図６（Ｂ）は、相手側コネクタの下面図である。
【００４３】
図７は、前記実施形態によるロック機構付き電気コネクタの構成を示す斜視分解組立図である。
【００４４】
図８は、前記実施形態によるロック機構付き電気コネクタの構成を示す図であり、図８（Ａ）は、ロック機構付き電気コネクタの平面図、図８（Ｂ）は、ロック機構付き電気コネクタの正面図、図８（Ｃ）は、ロック機構付き電気コネクタの右側面図、図８（Ｄ）は、ロック機構付き電気コネクタの背面図、図８（Ｅ）は、ロック機構付き電気コネクタの下面図である。
【００４５】
図９は、前記実施形態によるロック機構付き電気コネクタの構成を示す縦断面図である。
【００４６】
図１０は、前記実施形態によるロック機構付き電気コネクタに備わるハウジングの構成を示す図であり、図１０（Ａ）は、ハウジングの平面図、図１０（Ｂ）は、ハウジングの正面図、図１０（Ｃ）は、ハウジングの右側面図、図１０（Ｄ）は、ハウジングの左側面図、図１０（Ｅ）は、ハウジングの背面図、図１０（Ｆ）は、ハウジングの下面図である。
【００４７】
図１１は、前記実施形態によるロック機構付き電気コネクタに備わるハウジングの構成を示す斜視図であり、ハウジングを背面側及び右側面側から観た状態図である。
【００４８】
図１２は、前記実施形態によるロック機構付き電気コネクタに備わるハウジングの構成を示す縦断面図であり、図１０（Ａ）のＡ−Ａ矢視を拡大した図である。
【００４９】
（全体構成）
図１から図３を参照すると、本発明の一実施形態によるロック機構付き電気コネクタ（以下、プラグコネクタという）１０は、複数のケーブルＣｂの端末に取り付けられている。一方、相手側コネクタ（以下、ベースコネクタという）２０は、プリント基板９ｐに実装されている。
【００５０】
図１から図３を参照して、プラグコネクタ１０をベースコネクタ２０に接続することで、ケーブルＣｂとプリント基板９ｐを電気的に接続できる。
【００５１】
図１から図３又は図７から図１２を参照すると、プラグコネクタ１０は、直方体状のハウジング１、複数のコンタクト３、及び、板状のロックアーム５を備えている。ハウジング１は、複数のコンタクト３を内部に配置している。
【００５２】
図３又は図８から図１０を参照すると、ロックアーム５は、ハウジング１の外壁面１１ｗの中央部から突出した一対の支持部１１・１１に中間部が支持されている。又、ロックアーム５は、ハウジング１の外壁面１１ｗと略平行に配置している。ロックアーム５は、一対の支持部１１・１１を支点に搖動できる。
【００５３】
図３又は図８から図１０を参照すると、ロックアーム５は、鉤状のフック部５ｈを一端部に形成している。又、ロックアーム５は、指押さえ部５ｆを他端部に有している。フック部５ｈは、ベースコネクタ２０（相手側コネクタ）と係止できる（図３参照）。指押さえ部５ｆは、ロックアーム５の他端部の上面から半円状に隆起している。
【００５４】
図３又は図８から図１２を参照すると、指押さえ部５ｆは、凹部５２ｃと傾斜面５２ｓを有している。凹部５２ｃは、ロックアーム５の他端面から一端部側に向かって穿設している。指押さえ部５ｆの頂き部５２ｔを指などで押すと、頂き部５２ｔを僅かに撓ますことができる。
【００５５】
図３又は図９及び図１２を参照すると、傾斜面５２ｓは、ロックアーム５の他端面の底部から指押さえ部５ｆの頂き部５２ｔに向かって上り傾斜している。傾斜面５２ｓは、ロックアーム５の他端面からプラグコネクタ１０の挿入方向に向かう、例えば、不用意な衝撃力Ｐを傾斜面５２ｓに沿って分力できる（図１２参照）。
【００５６】
実施形態によるプラグコネクタ１０は、半円状に隆起した指押さえ部５ｆをロックアーム５の他端部に設け、指押さえ部５ｆには、指押さえ部５ｆの頂き部５２ｔが撓むための凹部５２ｃと、プラグコネクタ１０の挿入方向に向かう力を分力できる傾斜面５２ｓと、を形成することで、ロックアーム５の背後から少なくともプラグコネクタ１０の挿入方向に向けて、ロックアーム５に作用する不用意な衝撃力Ｐを緩和できる。これより、ロックアーム５の支持部１１の欠損を抑制できる。
【００５７】
［相手側コネクタの構成］
次に、本発明の一実施形態による相手側コネクタの構成を説明する。図１から図６を参照すると、本発明の一実施形態によるベースコネクタ２０は、直方体状のハウジング２、複数の板状のコンタクト４、及び、一対の補強タブ板６・６を備えている。ハウジング２は、複数のコンタクト４を内部に配置している。
【００５８】
図１又は図３及び図５（Ａ）を参照すると、ハウジング２は、絶縁体からなることが好ましく、絶縁性を有する合成樹脂を成形して、直方体状のハウジング２を得ることができる。ハウジング２は、一方の面に開口した凹部２１ｃを有している。凹部２１ｃには、ハウジング１の前部を導入できる（図２又は図３参照）。
【００５９】
図１又は図３及び図５（Ａ）を参照すると、ハウジング２は、一方の面から他方の面に貫通した矩形の開口２２ｃを有している。開口２２ｃには、ロックアーム５の前部を導入できる（図２又は図３参照）。
【００６０】
図３又は図４及び図５（Ａ）を参照すると、複数のコンタクト４は、凹部２１ｃの内部に横一列に配置されている。コンタクト４は、リード端子４ｒを基端部に有している。リード端子４ｒは、ハウジング２の一方の側面から突出している。リード端子４ｒの底面をプリント基板９ｐの一方の面にハンダ接合することで、ベースコネクタ２０をプリント基板９ｐに固定できる（図１から図３参照）。つまり、ベースコネクタ２０は、表面実装型の電気コネクタである。
【００６１】
図３を参照すると、ハウジング２は、山脈状のラッチ部２ｒを開口２２ｃの底面から突出している。ラッチ部２ｒは、ロックアーム５の一端部側に形成したフック部５ｈを係合できる（図１又は図３参照）。フック部５ｈがラッチ部２ｒに係合した状態で、ロックアーム５の前部をハウジング２の他方の側面が覆うことで、他方の側面に作用する意図しない力によるフック部５ｈとラッチ部２ｒの係合解除を抑制できる。
【００６２】
図３又は図４を参照すると、コンタクト４は、ハウジング２の底面側から圧入でき、コンタクト４の基端部をハウジング２に固定している。コンタクト４は、一組の挟持アーム４１・４２を有している。これらの挟持アーム４１・４２の底部同士は、連結している。
【００６３】
又、図３又は図４を参照すると、一組の挟持アーム４１・４２は、対向配置している。一組の挟持アーム４１・４２の間には、コンタクト３を導入でき、コンタクト３と接触できる（図３参照）。これにより、コンタクト３とコンタクト４を電気的に接続できる。
【００６４】
図４を参照すると、補強タブ板６は、圧入片６１を端部に形成している。一方、ハウジング２は、圧入穴２３ｈをハウジング２の他方の側面側から穿設している。圧入片６１を圧入穴２３ｈに圧入することで、補強タブ板６をハウジング２に固定できる。
【００６５】
図１又は図２を参照して、一対の補強タブ板６・６の底面をプリント基板９ｐの一方の面にハンダ接合することで、ベースコネクタ２０とプリント基板９ｐの接合強度を補強できる（図１から図３参照）。
【００６６】
（ハウジングの構成）
次に、実施形態によるハウジング１の構成を説明する。図９から図１２を参照すると、ハウジング１は、絶縁体からなることが好ましく、絶縁性を有する合成樹脂を成形して、直方状のハウジング１を得ることができる。
【００６７】
図１１は図１２を参照すると、ハウジング１は、複数のコンタクトキャビティ１２ｃを後面側に開口している。これらのコンタクトキャビティ１２ｃは、極間壁１２ｗで隔絶している。コンタクトキャビティ１２ｃには、コンタクト３を収容できる（図９参照）。
【００６８】
図１２を参照すると、コンタクトキャビティ１２ｃは、その奥側がハウジング１の一方の側面側に開放されている。図９又は図１２を参照すると、コンタクトキャビティ１２ｃは、ハウジング１の一方の側面側に段差１２ｄを形成している。図１１又は図１２を参照すると、対向する一組の金型（図示せず）を用いて、ロックアーム５付きのハウジング１を成形できる。
【００６９】
図９を参照して、コンタクト３をコンタクトキャビティ１２ｃに挿入すると、コンタクト３の外周から突出したコンタクトランス３ｒを段差１２ｄに係止できる。これにより、ハウジング１に対して、コンタクト３を抜け止めできる。
【００７０】
図９から図１１を参照すると、ハウジング１は、一対の板状のリブ１２ｒ・１２ｒを外壁面１１ｗから突出している。一対のリブ１２ｒ・１２ｒは、ロックアーム５の両側に配置している。一対のリブ１２ｒ・１２ｒは、ロックアーム５への電線絡みを防止する働きをしている。
【００７１】
又、図１２を参照して、一対のリブ１２ｒ・１２ｒの端面がハウジング２の挿入面に当接することで、ハウジング２の凹部２１ｃに対するハウジング１の挿入深さを規定できる（図３参照）。
【００７２】
（コンタクトの構成）
次に、実施形態によるコンタクト３の構成を説明する。図１３は、前記実施形態によるロック機構付き電気コネクタに備わるコンタクトの構成を示す斜視図である。
【００７３】
図１４は、前記実施形態によるロック機構付き電気コネクタに備わるコンタクトの構成を示す図であり、図１４（Ａ）は、コンタクトの平面図、図１４（Ｂ）は、コンタクトの正面図、図１４（Ｃ）は、コンタクトの右側面図、図１０（Ｄ）は、コンタクトの背面図、図１０（Ｅ）は、コンタクトの下面図である。
【００７４】
なお、図１３又は図１４は、いずれもコンタクト３を圧着後の状態で示している。
【００７５】
図１３又は図１４を参照すると、コンタクト３は、導電性を有する金属板からなることが好ましく、導電性を有する金属の展開板を成形して、結線部３１と箱状の接続端子３２が連続したコンタクト３を得ることができる。コンタクト３は、銅合金からなることが好ましいが、銅合金に限定されない。
【００７６】
図１３又は図１４を参照すると、コンタクト３は、結線部３１を基端部側に有し、箱状の接続端子３２を先端部側に有している。又、コンタクト３は、コンタクトランス３ｒを中間部に有している。結線部３１は、ワイヤーバレル３１ｃとインシュレーションバレル３１ｉを有している。
【００７７】
図７又は図９を参照すると、ワイヤーバレル３１ｃは、ケーブルＣｂの芯線Ｗｃを圧着している。インシュレーションバレル３１ｉは、ケーブルＣｂの被覆部Ｗｉを圧着している。ケーブルＣｂの端末にコンタクト３を圧着した状態で、コンタクト３をコンタクトキャビティ１２ｃに収容できる（図８又は図１１及び図１２参照）。
【００７８】
図９を参照して、コンタクト３をコンタクトキャビティ１２ｃに挿入すると、一組の挟持アーム４１・４２の間に、コンタクト３の接続端子３２を導入でき、接続端子３２を一組の挟持アーム４１・４２と接触できる。これにより、コンタクト３とコンタクト４を電気的に接続できる。
【００７９】
図１３又は図１４を参照すると、コンタクトランス３ｒは、接続端子３２の外周方向に突出している。図９を参照して、コンタクト３をコンタクトキャビティ１２ｃに挿入すると、コンタクトランス３ｒを段差１２ｄに係止できる。これにより、ハウジング１に対して、コンタクト３を抜け止めできる。
【００８０】
（ロックアームの構成）
次に、実施形態によるロックアーム５の構成を説明する。図９又は図１２を参照して、指押さえ部５ｆをハウジング１の外壁面１１ｗに向かって押すと、ロックアーム５を傾動でき、フック部５ｈを持ち上げることができる。指押さえ部５ｆを解放すると、フック部５ｈを元の状態に復帰できる。
【００８１】
図１を参照して、プラグコネクタ１０をベースコネクタ２０に向かって進出すると、ハウジング１の前部をハウジング２の凹部２１ｃに挿入できる（図３参照）。図３を参照して、プラグコネクタ１０をベースコネクタ２０に向かって進出する過程では、フック部５ｈの底面がラッチ部２ｒの傾斜面にスライドすることで、フック部５ｈを持ち上げることができる。
【００８２】
図３を参照して、フック部５ｈの先端縁がラッチ部２ｒの段差を乗り越えると、フック部５ｈが弾性復帰して、フック部５ｈをラッチ部２ｒに係止できる。つまり、プラグコネクタ１０は、ベースコネクタ２０を一体に保持できる（図２又は図３参照）。
【００８３】
一方、図３を参照して、プラグコネクタ１０とベースコネクタ２０が係合した状態から、指押さえ部５ｆをハウジング１の外壁面１１ｗに向かって押すと、ロックアーム５を傾動でき、フック部５ｈを持ち上げることができ、つまり、ロックを解除することで、プラグコネクタ１０をベースコネクタ２０から引き抜くことができる。
【００８４】
図９から図１２を参照すると、ロックアーム５の他端面は、ハウジング１の他端面より後退した位置に配置されている。これにより、ハウジング１の背後から物が当たる場合、ロックアーム５の他端面より先にハウジング１の他端面に物が当たるので、ロックアーム５への衝撃を軽減できる。
【００８５】
［ロック機構付き電気コネクタの作用］
次に、実施形態によるプラグコネクタ１０作用及び効果を説明する。図１から図３及び図７から図１２を参照すると、実施形態によるプラグコネクタ１０は、半円状に隆起した指押さえ部５ｆをロックアーム５の他端部に設けている。指押さえ部５ｆには、指押さえ部５ｆの頂き部５２ｔが撓むための凹部５２ｃと、プラグコネクタ１０の挿入方向に向かう力を分力できる傾斜面５２ｓと、を形成している。
【００８６】
図１２を参照すると、実施形態によるプラグコネクタ１０は、ロックアーム５の背後から少なくともプラグコネクタ１０の挿入方向に向けて、ロックアーム５に作用する不用意な衝撃力Ｐを緩和できる。つまり、衝撃力Ｐに起因する支持部１１の回転モーメントを緩和できる。これより、ロックアーム５の支持部１１の欠損を抑制できる。
【００８７】
又、図１２を参照すると、実施形態によるプラグコネクタ１０は、ロックアーム５の他端面から一端部側に向かって穿設し、指押さえ部５ｆの頂き部５２ｔが撓むための凹部５２ｃを有しているので、指押さえ部５ｆの上方からハウジング１の外壁面１１ｗに向かう不用意な衝撃力Ｆを緩和できる。これより、ロックアーム５の支持部１１の欠損を抑制できる。
【００８８】
図９から図１２を参照すると、実施形態によるプラグコネクタ１０は、ロックアーム５の他端面がハウジング１の他端面より後退した位置に配置されている。これにより、ハウジング１の背後から物が当たる場合、ロックアーム５の他端面より先にハウジング１の他端面に物が当たるので、ロックアーム５への衝撃を軽減できる。
【００８９】
図９から図１２を参照すると、実施形態によるプラグコネクタ１０は、ロックアーム５の他端面の底部から半円状の指押さえ部５ｆの頂き部５２ｔに向かって、上り傾斜した傾斜面５２ｓを指押さえ部５ｆに形成しているので、指に優しいロック機構を提供できる。
【００９０】
図１２を参照して、ロックアーム５の他端面に対する傾斜面５２ｓの傾斜角度θを広角度にすることで、衝撃力Ｐに起因する分力を更に軽減できる。しかし、傾斜角度θを広角度にすることで、支持部１１から指押さえ部５ｆの距離が短くなることで、ロックを解除する力が増大する心配がある。指押さえ部５ｆの上方からハウジング１の外壁面１１ｗに向かう不用意な衝撃力Ｆが増大する心配がある。これらを勘案すると、傾斜角度θは、略２０度から略２５度の傾斜角度の範囲になることが好ましい。
【００９１】
図１から図３及び図７から図１２を参照すると、実施形態によるプラグコネクタ１０は、所定の間隔を設けて、一対に対向配置した支持部１１・１１を有する、五極のロック機構付き電気コネクタを開示したが、二極のロック機構付き電気コネクタであれば、支持部１１は単体であってもよく、五極以上の多極のロック機構付き電気コネクタであれば、支持部１１を三つ以上にすることもできる。
【００９２】
図１から図７を参照すると、実施形態による相手側コネクタは、プリント基板９ｐに対してロック機構付き電気コネクタが垂直方向から着脱自在な、垂直取り付け形コネクタを開示したが、実施形態による相手側コネクタは、ハウジング２とコンタクト４の形状を変えることで、プリント基板に対してロック機構付き電気コネクタが水平方向から着脱自在な、水平取り付け形コネクタとすることができる。
【符号の説明】
【００９３】
１  ハウジング
３  コンタクト
５  ロックアーム
５ｈ  フック部
１０  プラグコネクタ（ロック機構付き電気コネクタ）
１１  支持部
１１ｗ  外壁面
２０  ベースコネクタ（相手側コネクタ）
５２ｓ  傾斜面
【図１】
2018185886.tif 000003
【図２】
2018185886.tif 000004
【図３】
2018185886.tif 000005
【図４】
2018185886.tif 000006
【図５】
2018185886.tif 000007
【図６】
2018185886.tif 000008
【図７】
2018185886.tif 000009
【図８】
2018185886.tif 000010
【図９】
2018185886.tif 000011
【図１０】
2018185886.tif 000012
【図１１】
2018185886.tif 000013
【図１２】
2018185886.tif 000014
【図１３】
2018185886.tif 000015
【図１４】
2018185886.tif 000016
【図１５】
2018185886.tif 000017
【図１６】
2018185886.tif 000018
【図１７】
2018185886.tif 000019